(57)【要約】      （修正有）【課題】マルチメディアが再生できるコンピュータシステムにおいて、マルチメディア再生の起動時間を短縮し、コンピュータシステムの使用効率を高める。【解決手段】コンピュータシステムに第１ＯＳ１０とシステムリソースの消耗が低い第２ＯＳ１５がインストールされ、コンピュータシステム使用者が入力ユニット２０により遠方信号を発射して第１拡充式ファームウエアインタフェース３０を起動し、マルチメディア再生システム４０を実行する時に組合せが必要なハードウエア設備５０を駆動する。その後、該遠方信号がマルチメディア再生システム４０起動の信号であると判断する時、第２ＯＳ１５及びマルチメディア再生システム４０を実行し、遠方信号がマルチメディア再生システム４０非起動の信号であると判断すれば、第２拡充式ファームウエアインタフェース３５を起動しコンピュータシステムの全てのハードウエア設備を駆動する。【選択図】図１
2005267636.tif 000002
【特許請求の範囲】
【請求項１】
マルチメディア再生システム実行のコンピュータシステムにおいて、該コンピュータシステムには第１オペレーションシステムとシステムリソースの消耗が低い第２オペレーションシステムがインストールされ、該コンピュータシステムは、
マルチメディア再生作業を実行するマルチメディア再生システムと、
該マルチメディア再生システムを実行する時、コンピュータシステムが組合せを必要とするハードウエア設備を駆動する第１拡充式ファームウエアインタフェースと、
第１オペレーションシステムを実行し該コンピュータシステムの全てのハードウエア設備を駆動する第２拡充式ファームウエアインタフェースと、
第１拡充式ファームウエアインタフェースを起動する基本入出力システムと、
使用者が遠方信号を発射して該基本入出力システムを起動するのに供される入力ユニットと、
を具え、そのうち該基本入出力システムと第１拡充式ファームウエアインタフェースを起動し、必要なハードウエア設備を駆動した後に、遠方信号がマルチメディア再生システムを起動する信号であると判断する時、第２オペレーションシステム及びマルチメディア再生システムを実行し、該遠方信号がマルチメディア再生システム非起動の信号であると判断する時、第２拡充式ファームウエアインタフェースを起動して全てのハードウエア設備を駆動することを特徴とする、マルチメディア再生システム実行のコンピュータシステム。
【請求項２】
請求項１記載のマルチメディア再生システム実行のコンピュータシステムにおいて、基本入出力システムが遠方信号を判断することを特徴とする、マルチメディア再生システム実行のコンピュータシステム。
【請求項３】
請求項１記載のマルチメディア再生システム実行のコンピュータシステムにおいて、第１拡充式ファームウエアインタフェースが遠方信号を判断することを特徴とする、マルチメディア再生システム実行のコンピュータシステム。
【請求項４】
請求項１記載のマルチメディア再生システム実行のコンピュータシステムにおいて、第１オペレーションシステムがＷｉｎｄｏｗｓ（登録商標）系列のオペレーションシステムとされたことを特徴とする、マルチメディア再生システム実行のコンピュータシステム。
【請求項５】
請求項１記載のマルチメディア再生システム実行のコンピュータシステムにおいて、第２オペレーションシステムがＬｉｎｕｘ（登録商標）オペレーションシステムとされたことを特徴とする、マルチメディア再生システム実行のコンピュータシステム。
【請求項６】
請求項１記載のマルチメディア再生システム実行のコンピュータシステムにおいて、マルチメディア再生システムがＣＤ再生、ＭＰ３再生、ＤＶＤ再生、ＶＣＤ再生、ブロードキャスト放送、テレビ視聴、及び写真閲覧のいずれかを実行可能であることを特徴とする、マルチメディア再生システム実行のコンピュータシステム。
【請求項７】
請求項１記載のマルチメディア再生システム実行のコンピュータシステムにおいて、入力ユニットが無線リモートコントローラーとされたことを特徴とする、マルチメディア再生システム実行のコンピュータシステム。
【請求項８】
請求項１記載のマルチメディア再生システム実行のコンピュータシステムにおいて、第１拡充式ファームウエアインタフェースと第２拡充式ファームウエアインタフェースが一つの拡充式ファームウエアインタフェースに整合されたことを特徴とする、マルチメディア再生システム実行のコンピュータシステム。
【請求項９】
コンピュータシステムのマルチメディア再生システム実行方法において、該コンピュータシステムにはマルチメディア再生システム、第１オペレーションシステム及びシステムリソース消耗が第１オペレーションシステムより低い第２オペレーションシステムがインストールされ、この実行方法は、
遠方信号を受信するステップ、
該コンピュータシステムの基本入出力システムを起動するステップ、
該コンピュータシステムの第１拡充式ファームウエアインタフェースを起動し、マルチメディア再生システム実行時にコンピュータシステムに組合せが必要な複数のハードウエア設備を駆動するステップ、
該遠方信号がマルチメディア再生システム起動の信号であると判断し、第２オペレーションシステムとマルチメディア再生システムを実行するステップ、
以上のステップを具え、そのうち、該遠方信号がマルチメディア再生システム起動の信号でないと判断する時、コンピュータシステムの第２拡充式ファームウエアインタフェースを起動し、第１オペレーションシステムを実行しコンピュータシステムの全てのハードウエア設備を駆動することを特徴とする、コンピュータシステムのマルチメディア再生システム実行方法。
【請求項１０】
請求項９記載のコンピュータシステムのマルチメディア再生システム実行方法において、遠方信号判断のステップは基本入出力システムにより実行されることを特徴とする、コンピュータシステムのマルチメディア再生システム実行方法。
【請求項１１】
請求項９記載のコンピュータシステムのマルチメディア再生システム実行方法において、遠方信号判断のステップは第１拡充式ファームウエアインタフェースにより実行されることを特徴とする、コンピュータシステムのマルチメディア再生システム実行方法。
【請求項１２】
請求項９記載のコンピュータシステムのマルチメディア再生システム実行方法において、第１オペレーションシステムがＷｉｎｄｏｗｓ（登録商標）系列のオペレーションシステムとされたことを特徴とする、コンピュータシステムのマルチメディア再生システム実行方法。
【請求項１３】
請求項９記載のコンピュータシステムのマルチメディア再生システム実行方法において、第２オペレーションシステムがＬｉｎｕｘ（登録商標）オペレーションシステムとされたことを特徴とする、コンピュータシステムのマルチメディア再生システム実行方法。
【請求項１４】
請求項９記載のコンピュータシステムのマルチメディア再生システム実行方法において、マルチメディア再生システムがＣＤ再生、ＭＰ３再生、ＤＶＤ再生、ＶＣＤ再生、ブロードキャスト放送、テレビ視聴、及び写真閲覧のいずれかを実行可能であることを特徴とする、コンピュータシステムのマルチメディア再生システム実行方法。
【請求項１５】
請求項９記載のコンピュータシステムのマルチメディア再生システム実行方法において、第１拡充式ファームウエアインタフェースと第２拡充式ファームウエアインタフェースが一つの拡充式ファームウエアインタフェースに整合されたことを特徴とする、コンピュータシステムのマルチメディア再生システム実行方法。
【請求項１６】
マルチメディア再生システム実行のコンピュータシステムにおいて、該コンピュータシステムには第１オペレーションシステムとシステムリソースの消耗が低い第２オペレーションシステムがインストールされ、該コンピュータシステムは、
マルチメディア再生作業を実行するマルチメディア再生システムと、
該マルチメディア再生システムを実行する時、コンピュータシステムが組合せを必要とするハードウエア設備を駆動する第１拡充式ファームウエアインタフェースと、
第１オペレーションシステムを実行し該コンピュータシステムの全てのハードウエア設備を駆動する第２拡充式ファームウエアインタフェースと、
使用者が遠方信号を発射して該第１拡充式ファームウエアインタフェースを起動するのに供される入力ユニットと、
を具え、そのうち該第１拡充式ファームウエアインタフェースを起動し、必要なハードウエア設備を駆動した後に、遠方信号がマルチメディア再生システムを起動する信号であると判断する時、第２オペレーションシステム及びマルチメディア再生システムを実行し、該遠方信号がマルチメディア再生システム非起動の信号であると判断する時、第２拡充式ファームウエアインタフェースを起動して全てのハードウエア設備を駆動することを特徴とする、マルチメディア再生システム実行のコンピュータシステム。
【請求項１７】
請求項１６記載のマルチメディア再生システム実行のコンピュータシステムにおいて、第１拡充式ファームウエアインタフェースが遠方信号を判断することを特徴とする、マルチメディア再生システム実行のコンピュータシステム。
【請求項１８】
請求項１６記載のマルチメディア再生システム実行のコンピュータシステムにおいて、第１オペレーションシステムがＷｉｎｄｏｗｓ（登録商標）系列のオペレーションシステムとされたことを特徴とする、マルチメディア再生システム実行のコンピュータシステム。
【請求項１９】
請求項１６記載のマルチメディア再生システム実行のコンピュータシステムにおいて、第２オペレーションシステムがＬｉｎｕｘ（登録商標）オペレーションシステムとされたことを特徴とする、マルチメディア再生システム実行のコンピュータシステム。
【請求項２０】
請求項１６記載のマルチメディア再生システム実行のコンピュータシステムにおいて、マルチメディア再生システムがＣＤ再生、ＭＰ３再生、ＤＶＤ再生、ＶＣＤ再生、ブロードキャスト放送、テレビ視聴、及び写真閲覧のいずれかを実行可能であることを特徴とする、マルチメディア再生システム実行のコンピュータシステム。
【請求項２１】
請求項１６記載のマルチメディア再生システム実行のコンピュータシステムにおいて、入力ユニットが無線リモートコントローラーとされたことを特徴とする、マルチメディア再生システム実行のコンピュータシステム。
【請求項２２】
請求項１６記載のマルチメディア再生システム実行のコンピュータシステムにおいて、第１拡充式ファームウエアインタフェースと第２拡充式ファームウエアインタフェースが一つの拡充式ファームウエアインタフェースに整合されたことを特徴とする、マルチメディア再生システム実行のコンピュータシステム。
【請求項２３】
コンピュータシステムのマルチメディア再生システム実行方法において、該コンピュータシステムにはマルチメディア再生システム、第１オペレーションシステム及びシステムリソース消耗が第１オペレーションシステムより低い第２オペレーションシステムがインストールされ、この実行方法は、
遠方信号を受信するステップ、
該コンピュータシステムの第１拡充式ファームウエアインタフェースを起動し、マルチメディア再生システム実行時にコンピュータシステムが組合せを必要とする複数のハードウエア設備を駆動するステップ、
該遠方信号がマルチメディア再生システム起動の信号であると判断し、第２オペレーションシステムとマルチメディア再生システムを実行するステップ、
以上のステップを具え、そのうち、該遠方信号がマルチメディア再生システム起動の信号でないと判断する時、コンピュータシステムの第２拡充式ファームウエアインタフェースを起動し、第１オペレーションシステムを実行しコンピュータシステムの全てのハードウエア設備を駆動することを特徴とする、コンピュータシステムのマルチメディア再生システム実行方法。
【請求項２４】
請求項２３記載のコンピュータシステムのマルチメディア再生システム実行方法において、遠方信号判断のステップは第１拡充式ファームウエアインタフェースにより実行されることを特徴とする、コンピュータシステムのマルチメディア再生システム実行方法。
【請求項２５】
請求項２３記載のコンピュータシステムのマルチメディア再生システム実行方法において、第１オペレーションシステムがＷｉｎｄｏｗｓ（登録商標）系列のオペレーションシステムとされたことを特徴とする、コンピュータシステムのマルチメディア再生システム実行方法。
【請求項２６】
請求項２３記載のコンピュータシステムのマルチメディア再生システム実行方法において、第２オペレーションシステムがＬｉｎｕｘ（登録商標）オペレーションシステムとされたことを特徴とする、コンピュータシステムのマルチメディア再生システム実行方法。
【請求項２７】
請求項２３記載のコンピュータシステムのマルチメディア再生システム実行方法において、マルチメディア再生システムがＣＤ再生、ＭＰ３再生、ＤＶＤ再生、ＶＣＤ再生、ブロードキャスト放送、テレビ視聴、及び写真閲覧のいずれかを実行可能であることを特徴とする、コンピュータシステムのマルチメディア再生システム実行方法。
【請求項２８】
請求項９記載のコンピュータシステムのマルチメディア再生システム実行方法において、第１拡充式ファームウエアインタフェースと第２拡充式ファームウエアインタフェースが一つの拡充式ファームウエアインタフェースに整合されたことを特徴とする、コンピュータシステムのマルチメディア再生システム実行方法。
【発明の詳細な説明】
【技術分野】
【０００１】
本発明は一種のマルチメディア再生システム実行のコンピュータシステム及びその方法に係り、特に、使用者が簡単快速にマルチメディア再生システムを起動でき、且つコンピュータシステムの電力消耗量を節約でき、コンピュータシステム使用効率を高めることができる、マルチメディア再生システム実行のコンピュータシステム及びその方法に関する。
【背景技術】
【０００２】
世界的な不景気の下、民衆の生活の競争はますます激しくなり、人々の生活のストレスはますます増し、毎日疲労して家に帰り、それが続いて病気を発生することもある。ゆえにこのような競争社会にあって個人の生活のストレスをいかに緩和するかが重要な課題である。現在民衆は帰宅すると、テレビ番組や映画を観るか、或いは音楽を聴き、ストレス解消している。ゆえに現在一般の過程には映画を再生するためのＶＣＤ、ＤＶＤプレイヤー或いは音楽用ＣＤプレイヤー等の電子設備が具えられている。しかしテクノロジーの急速な発展の下、現在、コンピュータシステムがマルチ機能を一体に具備するようになり、例えばデータ処理、無線データ伝送、インターネット、ファクシミリ等の事務処理機能のほかに、民衆のレジャー用のマルチメディア再生機能を具備するようになり、それにより映画や音楽、ブロードキャスト視聴等ができるようになった。それは民衆にとって相当に便利な機能であり、民衆は多機能のコンピュータシステムを配備することによりその他のマルチメディア再生電子設備を購入する必要がなくなり、室内の占用空間とコストも減らすことができるようになった。
【０００３】
マルチメディア再生システムを使用して映画を観る、或いは音楽を聴く、或いはブロードキャスト放送を視聴する時、使用者はコンピュータシステムを起動後、キーボード或いはマウスで外部命令を下してマルチメディア再生システムを実行する必要がある。このため民衆がマルチメディア再生システムを使用する時には、コンピュータシステム起動の時間を待たねばならず、且つマルチメディア再生システム起動の過程はコンピュータシステム概念のない使用者にとっては、相当に複雑であり、使用上、一般の家電、例えばテレビやステレオのように便利ではない。またコンピュータシステムが起動してオペレーションシステムに進入する時には、全てのハードウエア周辺設備が起動されうるが、使用者はマルチメディア再生システムのみを使用したい時、コンピュータシステムは電源を消耗し、浪費を形成する。さらに近年、コンピュータウイルス進入の重視、システム管理及びシステムの安定の要求により、Ｗｉｎｄｏｗｓ（登録商標）オペレーションシステム負荷とシステム消耗ソースが続けて増し、使用者がコンピュータシステムの単一のアプリケーションプログラムを使用する時にも長い起動時間を待たねばならず、時間の浪費と効率低下を形成する。
【０００４】
このため、マルチメディア再生システム実行のコンピュータシステム及びその方法を提供し、使用者が簡便にマルチメディア再生システムを実行できるようにし、且つコンピュータシステムのシステムリソース消耗を減らすことが求められている。
【発明の開示】
【発明が解決しようとする課題】
【０００５】
本発明の主要な目的は、一種のマルチメディア再生システム実行のコンピュータシステム及びその方法を提供することにあり、それは使用者が快速容易にマルチメディア再生システムを起動でき、コンピュータシステムの使用上の便利性を向上できるシステム及び方法であるものとする。
【０００６】
本発明の次の目的は、一種のマルチメディア再生システム実行のコンピュータシステム及びその方法を提供することにあり、それは、コンピュータシステムがシステムリソース消耗の低いオペレーションシステム下でマルチメディア再生システムを実行できるようにし、これによりコンピュータシステムのシステムリソース消耗を減らし、且つマルチメディア再生システムの起動時間を短縮し、コンピュータシステムの使用効率を高めることができるシステム及び方法であるものとする。
【０００７】
本発明の別の目的は、一種のマルチメディア再生システム実行のコンピュータシステム及びその方法を提供することにあり、それは、マルチメディア再生システム起動時に、マルチメディア再生システム起動に必要なハードウエア周辺設備のみ起動し、コンピュータシステムが消費する電源を節約できるシステム及び方法であるものとする。
【０００８】
本発明はマルチメディア再生システム実行のコンピュータシステム及びその方法を提供する。それによると、該コンピュータシステムに第１オペレーションシステムとシステムリソースの消耗が低い第２オペレーションシステムがインストールされる。使用者がコンピュータシステムの入力ユニットにより遠方信号を発射する時、ＢＩＯＳ（基本入出力システム）が駆動され、これによりコンピュータシステムの第１拡充式ファームウエアインタフェースが起動され、マルチメディア再生システム実行時にコンピュータシステムに組み合わせる必要のあるハードウエア設備が駆動される。その後、ＢＩＯＳ或いは第１拡充式ファームウエアインタフェースが該遠方信号がマルチメディア再生システムを起動する信号であるかを判断し、遠方信号がマルチメディア再生システム実行のコンピュータシステム起動の信号である時は、第２オペレーションシステムとマルチメディア再生システムを実行し、遠方信号がマルチメディア再生システム起動の信号でなければ、コンピュータシステムの第２拡充式ファームウエアインタフェースを起動し、第１オペレーションシステムを実行し並びにコンピュータシステムの全てのハードウエア設備を駆動する。
【０００９】
第１拡充式ファームウエアインタフェースは第２拡充式ファームウエアインタフェースと同一の拡充式ファームウエアインタフェースに整合可能である。また、本発明はＢＩＯＳを必要とせず、使用者が発生した遠方信号は、直接第１拡充式ファームウエアインタフェース或いは整合後の拡充式ファームウエアインタフェースを起動可能で、即ち第１拡充式ファームウエアインタフェース或いは整合後の拡充式ファームウエアインタフェースをＢＩＯＳの代わりに使用できる。
【課題を解決するための手段】
【００１０】
請求項１の発明は、マルチメディア再生システム実行のコンピュータシステムにおいて、該コンピュータシステムには第１オペレーションシステムとシステムリソースの消耗が低い第２オペレーションシステムがインストールされ、該コンピュータシステムは、
マルチメディア再生作業を実行するマルチメディア再生システムと、
該マルチメディア再生システムを実行する時、コンピュータシステムが組合せを必要とするハードウエア設備を駆動する第１拡充式ファームウエアインタフェースと、
第１オペレーションシステムを実行し該コンピュータシステムの全てのハードウエア設備を駆動する第２拡充式ファームウエアインタフェースと、
第１拡充式ファームウエアインタフェースを起動する基本入出力システムと、
使用者が遠方信号を発射して該基本入出力システムを起動するのに供される入力ユニットと、
を具え、そのうち該基本入出力システムと第１拡充式ファームウエアインタフェースを起動し、必要なハードウエア設備を駆動した後に、遠方信号がマルチメディア再生システムを起動する信号であると判断する時、第２オペレーションシステム及びマルチメディア再生システムを実行し、該遠方信号がマルチメディア再生システム非起動の信号であると判断する時、第２拡充式ファームウエアインタフェースを起動して全てのハードウエア設備を駆動することを特徴とする、マルチメディア再生システム実行のコンピュータシステムとしている。
請求項２の発明は、請求項１記載のマルチメディア再生システム実行のコンピュータシステムにおいて、基本入出力システムが遠方信号を判断することを特徴とする、マルチメディア再生システム実行のコンピュータシステムとしている。
請求項３の発明は、請求項１記載のマルチメディア再生システム実行のコンピュータシステムにおいて、第１拡充式ファームウエアインタフェースが遠方信号を判断することを特徴とする、マルチメディア再生システム実行のコンピュータシステムとしている。
請求項４の発明は、請求項１記載のマルチメディア再生システム実行のコンピュータシステムにおいて、第１オペレーションシステムがＷｉｎｄｏｗｓ（登録商標）系列のオペレーションシステムとされたことを特徴とする、マルチメディア再生システム実行のコンピュータシステムとしている。
請求項５の発明は、請求項１記載のマルチメディア再生システム実行のコンピュータシステムにおいて、第２オペレーションシステムがＬｉｎｕｘ（登録商標）オペレーションシステムとされたことを特徴とする、マルチメディア再生システム実行のコンピュータシステムとしている。
請求項６の発明は、請求項１記載のマルチメディア再生システム実行のコンピュータシステムにおいて、マルチメディア再生システムがＣＤ再生、ＭＰ３再生、ＤＶＤ再生、ＶＣＤ再生、ブロードキャスト放送、テレビ視聴、及び写真閲覧のいずれかを実行可能であることを特徴とする、マルチメディア再生システム実行のコンピュータシステムとしている。
請求項７の発明は、請求項１記載のマルチメディア再生システム実行のコンピュータシステムにおいて、入力ユニットが無線リモートコントローラーとされたことを特徴とする、マルチメディア再生システム実行のコンピュータシステムとしている。
請求項８の発明は、請求項１記載のマルチメディア再生システム実行のコンピュータシステムにおいて、第１拡充式ファームウエアインタフェースと第２拡充式ファームウエアインタフェースが一つの拡充式ファームウエアインタフェースに整合されたことを特徴とする、マルチメディア再生システム実行のコンピュータシステムとしている。
請求項９の発明は、コンピュータシステムのマルチメディア再生システム実行方法において、該コンピュータシステムにはマルチメディア再生システム、第１オペレーションシステム及びシステムリソース消耗が第１オペレーションシステムより低い第２オペレーションシステムがインストールされ、この実行方法は、
遠方信号を受信するステップ、
該コンピュータシステムの基本入出力システムを起動するステップ、
該コンピュータシステムの第１拡充式ファームウエアインタフェースを起動し、マルチメディア再生システム実行時にコンピュータシステムに組合せが必要な複数のハードウエア設備を駆動するステップ、
該遠方信号がマルチメディア再生システム起動の信号であると判断し、第２オペレーションシステムとマルチメディア再生システムを実行するステップ、
以上のステップを具え、そのうち、該遠方信号がマルチメディア再生システム起動の信号でないと判断する時、コンピュータシステムの第２拡充式ファームウエアインタフェースを起動し、第１オペレーションシステムを実行しコンピュータシステムの全てのハードウエア設備を駆動することを特徴とする、コンピュータシステムのマルチメディア再生システム実行方法としている。
請求項１０の発明は、請求項９記載のコンピュータシステムのマルチメディア再生システム実行方法において、遠方信号判断のステップは基本入出力システムにより実行されることを特徴とする、コンピュータシステムのマルチメディア再生システム実行方法としている。
請求項１１の発明は、請求項９記載のコンピュータシステムのマルチメディア再生システム実行方法において、遠方信号判断のステップは第１拡充式ファームウエアインタフェースにより実行されることを特徴とする、コンピュータシステムのマルチメディア再生システム実行方法としている。
請求項１２の発明は、請求項９記載のコンピュータシステムのマルチメディア再生システム実行方法において、第１オペレーションシステムがＷｉｎｄｏｗｓ（登録商標）系列のオペレーションシステムとされたことを特徴とする、コンピュータシステムのマルチメディア再生システム実行方法としている。
請求項１３の発明は、請求項９記載のコンピュータシステムのマルチメディア再生システム実行方法において、第２オペレーションシステムがＬｉｎｕｘ（登録商標）オペレーションシステムとされたことを特徴とする、コンピュータシステムのマルチメディア再生システム実行方法としている。
請求項１４の発明は、請求項９記載のコンピュータシステムのマルチメディア再生システム実行方法において、マルチメディア再生システムがＣＤ再生、ＭＰ３再生、ＤＶＤ再生、ＶＣＤ再生、ブロードキャスト放送、テレビ視聴、及び写真閲覧のいずれかを実行可能であることを特徴とする、コンピュータシステムのマルチメディア再生システム実行方法としている。
請求項１５の発明は、請求項９記載のコンピュータシステムのマルチメディア再生システム実行方法において、第１拡充式ファームウエアインタフェースと第２拡充式ファームウエアインタフェースが一つの拡充式ファームウエアインタフェースに整合されたことを特徴とする、コンピュータシステムのマルチメディア再生システム実行方法としている。
請求項１６の発明は、マルチメディア再生システム実行のコンピュータシステムにおいて、該コンピュータシステムには第１オペレーションシステムとシステムリソースの消耗が低い第２オペレーションシステムがインストールされ、該コンピュータシステムは、
マルチメディア再生作業を実行するマルチメディア再生システムと、
該マルチメディア再生システムを実行する時、コンピュータシステムが組合せを必要とするハードウエア設備を駆動する第１拡充式ファームウエアインタフェースと、
第１オペレーションシステムを実行し該コンピュータシステムの全てのハードウエア設備を駆動する第２拡充式ファームウエアインタフェースと、
使用者が遠方信号を発射して該第１拡充式ファームウエアインタフェースを起動するのに供される入力ユニットと、
を具え、そのうち該第１拡充式ファームウエアインタフェースを起動し、必要なハードウエア設備を駆動した後に、遠方信号がマルチメディア再生システムを起動する信号であると判断する時、第２オペレーションシステム及びマルチメディア再生システムを実行し、該遠方信号がマルチメディア再生システム非起動の信号であると判断する時、第２拡充式ファームウエアインタフェースを起動して全てのハードウエア設備を駆動することを特徴とする、マルチメディア再生システム実行のコンピュータシステムとしている。
請求項１７の発明は、請求項１６記載のマルチメディア再生システム実行のコンピュータシステムにおいて、第１拡充式ファームウエアインタフェースが遠方信号を判断することを特徴とする、マルチメディア再生システム実行のコンピュータシステムとしている。
請求項１８の発明は、請求項１６記載のマルチメディア再生システム実行のコンピュータシステムにおいて、第１オペレーションシステムがＷｉｎｄｏｗｓ（登録商標）系列のオペレーションシステムとされたことを特徴とする、マルチメディア再生システム実行のコンピュータシステムとしている。
請求項１９の発明は、請求項１６記載のマルチメディア再生システム実行のコンピュータシステムにおいて、第２オペレーションシステムがＬｉｎｕｘ（登録商標）オペレーションシステムとされたことを特徴とする、マルチメディア再生システム実行のコンピュータシステムとしている。
請求項２０の発明は、請求項１６記載のマルチメディア再生システム実行のコンピュータシステムにおいて、マルチメディア再生システムがＣＤ再生、ＭＰ３再生、ＤＶＤ再生、ＶＣＤ再生、ブロードキャスト放送、テレビ視聴、及び写真閲覧のいずれかを実行可能であることを特徴とする、マルチメディア再生システム実行のコンピュータシステムとしている。
請求項２１の発明は、請求項１６記載のマルチメディア再生システム実行のコンピュータシステムにおいて、入力ユニットが無線リモートコントローラーとされたことを特徴とする、マルチメディア再生システム実行のコンピュータシステムとしている。
請求項２２の発明は、請求項１６記載のマルチメディア再生システム実行のコンピュータシステムにおいて、第１拡充式ファームウエアインタフェースと第２拡充式ファームウエアインタフェースが一つの拡充式ファームウエアインタフェースに整合されたことを特徴とする、マルチメディア再生システム実行のコンピュータシステムとしている。
請求項２３の発明は、コンピュータシステムのマルチメディア再生システム実行方法において、該コンピュータシステムにはマルチメディア再生システム、第１オペレーションシステム及びシステムリソース消耗が第１オペレーションシステムより低い第２オペレーションシステムがインストールされ、この実行方法は、
遠方信号を受信するステップ、
該コンピュータシステムの第１拡充式ファームウエアインタフェースを起動し、マルチメディア再生システム実行時にコンピュータシステムが組合せを必要とする複数のハードウエア設備を駆動するステップ、
該遠方信号がマルチメディア再生システム起動の信号であると判断し、第２オペレーションシステムとマルチメディア再生システムを実行するステップ、
以上のステップを具え、そのうち、該遠方信号がマルチメディア再生システム起動の信号でないと判断する時、コンピュータシステムの第２拡充式ファームウエアインタフェースを起動し、第１オペレーションシステムを実行しコンピュータシステムの全てのハードウエア設備を駆動することを特徴とする、コンピュータシステムのマルチメディア再生システム実行方法としている。
請求項２４の発明は、請求項２３記載のコンピュータシステムのマルチメディア再生システム実行方法において、遠方信号判断のステップは第１拡充式ファームウエアインタフェースにより実行されることを特徴とする、コンピュータシステムのマルチメディア再生システム実行方法としている。
請求項２５の発明は、請求項２３記載のコンピュータシステムのマルチメディア再生システム実行方法において、第１オペレーションシステムがＷｉｎｄｏｗｓ（登録商標）系列のオペレーションシステムとされたことを特徴とする、コンピュータシステムのマルチメディア再生システム実行方法としている。
請求項２６の発明は、請求項２３記載のコンピュータシステムのマルチメディア再生システム実行方法において、第２オペレーションシステムがＬｉｎｕｘ（登録商標）オペレーションシステムとされたことを特徴とする、コンピュータシステムのマルチメディア再生システム実行方法としている。
請求項２７の発明は、請求項２３記載のコンピュータシステムのマルチメディア再生システム実行方法において、マルチメディア再生システムがＣＤ再生、ＭＰ３再生、ＤＶＤ再生、ＶＣＤ再生、ブロードキャスト放送、テレビ視聴、及び写真閲覧のいずれかを実行可能であることを特徴とする、コンピュータシステムのマルチメディア再生システム実行方法としている。
請求項２８の発明は、請求項９記載のコンピュータシステムのマルチメディア再生システム実行方法において、第１拡充式ファームウエアインタフェースと第２拡充式ファームウエアインタフェースが一つの拡充式ファームウエアインタフェースに整合されたことを特徴とする、コンピュータシステムのマルチメディア再生システム実行方法としている。
【発明の効果】
【００１１】
本発明はマルチメディア再生システム実行のコンピュータシステム及びその方法を提供し、それによると、コンピュータシステムに第１オペレーションシステムとシステムリソースの消耗が低い第２オペレーションシステムがインストールされ、コンピュータシステム使用者が入力ユニットにより遠方信号を発射して拡充式ファームウエアインタフェースを起動し、マルチメディア再生システムを実行する時に組合せが必要なハードウエア設備を駆動する。その後、該遠方信号がマルチメディア再生システム起動の信号であると判断する時、第２オペレーションシステム及びマルチメディア再生システムを実行し、遠方信号がマルチメディア再生システム非起動の信号であると判断すれば、第１オペレーションシステムを実行しコンピュータシステムの全てのハードウエア設備を駆動する。これにより使用者は遠方信号を発射するだけでマルチメディア再生システムを使用でき、並びに起動時間を短縮できる。
【発明を実施するための最良の形態】
【００１２】
図１は本発明の実施例のブロック図である。本発明のコンピュータシステムには第１オペレーションシステム１０と第２オペレーションシステム１５がインストールされている。第１オペレーションシステム１０には少なくとも一つのアプリケーションプログラムがインストールされるが、そのシステムリソース消耗は高く、例えばＷｉｎｄｏｗｓ（登録商標）ＸＰ、Ｗｉｎｄｏｗｓ（登録商標）ＮＴ、Ｗｉｎｄｏｗｓ（登録商標）９８、Ｗｉｎｄｏｗｓ（登録商標）２０００、Ｗｉｎｄｏｗｓ（登録商標）Ｍｅ等のＷｉｎｄｏｗｓ（登録商標）系列のオペレーションシステムとされ、第２オペレーションシステム１５はシステムリソース消耗の低いＬｉｎｕｘ（登録商標）オペレーションシステムとされうる。
【００１３】
コンピュータシステムは入力ユニット２０、例えば無線リモートコントローラーを具え、それはコンピュータシステム使用者が遠方信号を発射してマルチメディア再生システム４０を起動するか或いは正常起動するのに供される。入力ユニット２０が遠方信号を発射した後に、コンピュータシステムのＢＩＯＳ２５が起動されて、コンピュータシステムの第１拡充式ファームウエアインタフェース３０（Ｅｘｔｅｎｓｉｂｌｅ  Ｆｉｒｍｗａｒｅ  Ｉｎｔｅｒｆａｃｅ；ＥＦＩ）が起動され、第１拡充式ファームウエアインタフェース３０が起動される時、コンピュータシステムがマルチメディア再生システム４０を実行する時に組合せが必要な複数のハードウエア設備５０が駆動され、マルチメディア再生システム４０は多種類のオーディオビデオ項目、例えば、ＣＤ、ＭＰ３、ＤＶＤ、ＶＣＤ、ブロードキャスト、テレビ視聴、及び写真閲覧等を実行可能である。マルチメディア再生システム４０がマルチメディア再生作業を実行する時には、コンピュータシステムの複数のハードウエア設備５０、例えばＣＤドライブ、ハードディスク、ＩＤＥ  ＡＴＡ／ＡＴＡＰＩ、ビデオ処理装置、オーディオ処理装置、増幅器及びスピーカー等の必要周辺設備も合わせて起動しなければならない。
【００１４】
使用者が発射した遠方信号がマルチメディア再生システム４０を起動する信号であれば、遠方信号はＢＩＯＳ２５及び第１拡充式ファームウエアインタフェース３０を起動し、マルチメディア再生システム４０実行時に組み合わせて必要のあるハードウエア設備３０が起動され、その後、第２オペレーションシステム１５及びマルチメディア再生システム４０が起動される。ただし遠方信号がマルチメディア再生システム４０を起動する信号でなければ、コンピュータシステムの第２拡充式ファームウエアインタフェース３５が起動され、第１オペレーションシステム１０が実行されコンピュータシステムの全てのハードウエア設備５０が駆動され、正常にコンピュータシステムが起動される。
【００１５】
図１と併せて図２の本発明の好ましい実施例のフローチャートを参照されたい。コンピュータシステムの使用者が正常にコンピュータシステムを起動したい時、或いは、マルチメディア再生システム４０を起動してオーディオビデオ項目再生を実行したい時には、入力ユニット２０を押圧して遠方信号を発射すると、コンピュータシステムはステップＳ１に示されるように遠方信号を受信する。続いてステップＳ２に示されるように、ＢＩＯＳ２５を起動する。その後、ステップＳ３に示されるように、第１拡充式ファームウエアインタフェース３０を起動して、マルチメディア再生システム４０実行に必要なハードウエア設備５０を駆動する。その後、ステップＳ４に示されるように、遠方信号がマルチメディア再生システム４０実行を起動する信号であるかを判断し、遠方信号の判断は第１拡充式ファームウエアインタフェース３０により実行されるか或いはＢＩＯＳ２５により実行される。
【００１６】
遠方信号が使用者がマルチメディア再生システム４０を起動する信号であると判断すれば、ステップＳ５に示されるように第２オペレーションシステム１５及びマルチメディア再生システム４０を実行し、それはＢＩＯＳ２５或いは第１拡充式ファームウエアインタフェース３０により実行する。こうして使用者はキーを押すだけで、マルチメディア再生システム４０を使用でき、周知のコンピュータシステムのように、システムリソース消耗の比較的高いオペレーションシステムに進入した後に、メニューより項目をクリックしなければマルチメディア再生システム４０を実行できない問題がなく、且つコンピュータシステムの全てのハードウエア設備を起動する必要がないため、電源消耗を節約できる。遠方信号がマルチメディア再生システム４０を起動する信号でなければ、ステップＳ６のように、第２拡充式ファームウエアインタフェース３５を起動し、第１オペレーションシステム１０を実行しコンピュータシステムの全てのハードウエア設備５０を駆動し、正常起動を完成する。本発明の第１拡充式ファームウエアインタフェース３０と第２拡充式ファームウエアインタフェース３５には図形化使用者インタフェースを採用可能で、使用者の操作使用とハードウエア設備への取り付けに便利とされ、且つ新たなハードウエア設備の拡充と更新設定に便利とされる。
【００１７】
図１に図３及び図４を併せて参照されたい。図３と図４は本発明の別の実施例のブロック図とフローチャートである。この実施例の先の実施例との違いは、第１拡充式ファームウエアインタフェース３０と第２拡充式ファームウエアインタフェース３５が同一体の拡充式ファームウエアインタフェース６０に整合されたことであり、その他の構造は先の実施例と同じである。処理フローについては、僅かにステップＳ１４において遠方信号の判断実行の後に、判断結果がマルチメディア再生システム４０非起動であれば、ステップＳ１６を実行する時に、同一の拡充式ファームウエアインタフェース６０を実行することで、第１オペレーションシステム１０を実行し全てのハードウエア設備５０を駆動する。
【００１８】
図１に図５及び図６を併せて参照されたい。図５と図６は本発明の更に別の実施例のブロック図とフローチャートである。この実施例の図１の実施例との違いは、この実施例はＢＩＯＳを包含せず、使用者が入力ユニット２０で遠方信号を発生する時、ステップＳ２１に示されるようにコンピュータシステムが遠方信号を受信した後、ステップＳ２２に示されるように、直接第１拡充式ファームウエアインタフェース３０が起動され、必要なハードウエア設備５０が駆動される。続いてステップＳ２３において、第１拡充式ファームウエアインタフェース３０が遠方信号がマルチメディア再生システム４０を起動する信号であるかを判断し、マルチメディア再生システム４０起動の信号であると判断すれば、ステップＳ２４のように、第２オペレーションシステム１５を実行しマルチメディア再生システム４０を駆動する。判断結果がマルチメディア再生システム４０起動の信号でなれば、ステップＳ２５のように、第２拡充式ファームウエアインタフェース３５を起動し、第１オペレーションシステム１０を起動し、全てのハードウエア設備５０を駆動する。
【００１９】
図１に図７及び図８を併せて参照されたい。図７と図８は本発明の更にまた別の実施例のブロック図とフローチャートである。この実施例の図１の実施例との違いは、この実施例は拡充式ファームウエアインタフェース７０をＢＩＯＳ２５、第１拡充式ファームウエアインタフェース３０及び第２拡充式ファームウエアインタフェース３５の代わりに具備していることである。使用者が入力ユニット２０で遠方信号を発生する時、ステップＳ３２に示されるように、拡充式ファームウエアインタフェース７０が起動され、必要なハードウエア設備５０が駆動される。続いて、ステップＳ３３に示されるように、該遠方信号がマルチメディア再生システム４０を起動する信号であるかを判断し、マルチメディア再生システム４０起動の信号であると判断すれば、ステップＳ３４のように、第２オペレーションシステム１５を実行しマルチメディア再生システム４０を駆動する。判断結果がマルチメディア再生システム４０起動の信号でなれば、ステップＳ３５のように、拡充式ファームウエアインタフェース７０は第１オペレーションシステム１０を実行し、全てのハードウエア設備５０を駆動する。
【００２０】
総合すると、本発明のマルチメディア再生システム実行のコンピュータシステム及びその方法は、コンピュータシステム使用者がマルチメディア再生システム４０を起動したい時に、入力ユニット２０を通して遠方信号をコンピュータシステムに向けて発射すれば、拡充式ファームウエアインタフェースを起動して必要なハードウエア設備５０を駆動でき、且つ第２オペレーションシステム１５及びマルチメディア再生システム４０を実行でき、これは相当に便利であり、且つコンピュータシステムの全てのハードウエア設備５０を駆動する必要がなく、電源消耗を節約できる。このほか、本発明は第２オペレーションシステム１５下でマルチメディア再生システム４０を起動しゆえにその起動実行時間を短縮でき、使用効率を高めることができる。
【００２１】
ゆえに本発明は新規性、進歩性及び産業上の利用価値を有する発明である。なお、以上の実施例に基づきなしうる細部の修飾或いは改変は、いずれも本発明の請求範囲に属するものとする。
【図面の簡単な説明】
【００２２】
【図１】本発明の実施例のブロック図である。
【図２】本発明の実施例のフローチャートである。
【図３】本発明の別の実施例のブロック図である。
【図４】本発明の別の実施例のフローチャートである。
【図５】本発明の更に別の実施例のブロック図である。
【図６】本発明の更に別の実施例のフローチャートである。
【図７】本発明の更にまた別の実施例のブロック図である。
【図８】本発明の更にまた別の実施例のフローチャートである。
【符号の説明】
【００２３】
１０  第１オペレーションシステム
１５  第２オペレーションシステム
２０  入力ユニット
２５  ＢＩＯＳ
３０  第１拡充式ファームウエアインタフェース
３５  第２拡充式ファームウエアインタフェース
４０  マルチメディア再生システム
５０  ハードウエア設備
６０  拡充式ファームウエアインタフェース
７０  拡充式ファームウエアインタフェース
【図１】
2005267636.tif 000003
【図２】
2005267636.tif 000004
【図３】
2005267636.tif 000005
【図４】
2005267636.tif 000006
【図５】
2005267636.tif 000007
【図６】
2005267636.tif 000008
【図７】
2005267636.tif 000009
【図８】
2005267636.tif 000010